(57)【要約】      （修正有）【課題】表示装置の駆動周波数よりも高いフレームレートの映像を、駆動周波数よりも低いフレームレートの映像信号に変換して表示する表示装置であって、変換の負荷を低減する。【解決手段】表示装置２００は、表示部２０６と、フレームレートｆｐの原映像信号から生成されたフレームレートｆｓの映像信号Ａ〜Ｄが入力される入力端子２０１ａ〜２０１ｄと、フレームレートｆｐを取得する映像信号取得部２０２と、映像信号Ａ〜Ｄのうち少なくとも２以上を順に出力する表示信号出力部２０５と、を備える。表示信号出力部２０５は、フレームレートｆｐが駆動周波数ｆａよりも高い場合に、駆動周波数ｆａに対応するフレームレート以下で、映像信号Ａと映像信号Ｃとを交互に出力し、フレームレートｆｐが駆動周波数ｆａ以下である場合に、フレームレートｆｐで、映像信号Ａ〜Ｄを順に出力する。【選択図】図２
2018093305.tif 000002
【特許請求の範囲】
【請求項１】
入力された映像信号に基づいて画像を表示する表示手段と、
第１フレームレートの原映像信号から生成された前記第１フレームレートよりも低い第２フレームレートの第１映像信号が入力される第１入力手段と、
前記原映像信号から生成された前記第２フレームレートの第２映像信号が入力される第２入力手段と、
前記原映像信号から生成された前記第２フレームレートの第３映像信号が入力される第３入力手段と、
前記原映像信号から生成された前記第２フレームレートの第４映像信号が入力される第４入力手段と、
前記第１フレームレートを取得する第１取得手段と、
前記第１映像信号、前記第２映像信号、前記第３映像信号、および前記第４映像信号のうち、少なくとも２以上の映像信号を、順に前記表示手段に出力する出力手段と、
を備え、
前記出力手段は、前記第１フレームレートが所定の値よりも高い場合に、前記所定の値に対応するフレームレート以下で、前記第１映像信号と前記第３映像信号とを交互に前記表示手段に出力し、
前記第１フレームレートが前記所定の値以下である場合に、前記第１フレームレートで、前記第１映像信号、前記第２映像信号、前記第３映像信号、および前記第４映像信号の順で、前記表示手段に出力することを特徴とする表示装置。
【請求項２】
前記第１取得手段は、前記第１映像信号、前記第２映像信号、前記第３映像信号、および前記第４映像信号のうち、少なくとも１つの映像信号に重畳された前記第１フレームレートを示す情報に基づいて、前記第１フレームレートを取得することを特徴とする請求項１に記載の表示装置。
【請求項３】
前記所定の値は、前記表示手段が動作可能な駆動周波数の上限値に対応する値であることを特徴とする請求項１または請求項２に記載の表示装置。
【請求項４】
前記第１映像信号、前記第２映像信号、前記第３映像信号、及び前記第４映像信号は、前記原映像信号を、前記第２フレームレートのそれぞれ異なる位相で間引くことによって得られた映像信号であることを特徴とする請求項１乃至請求項３のいずれか１項に記載の表示装置。
【請求項５】
前記第１映像信号、前記第２映像信号、前記第３映像信号、及び前記第４映像信号の前記原映像信号における順番を示す情報を取得する第２取得手段を備え、
前記出力手段は、前記第１映像信号、前記第２映像信号、前記第３映像信号、および前記第４映像信号のうち、少なくとも２以上の映像信号を、前記順番に応じて、前記表示手段に出力することを特徴とする請求項４に記載の表示装置。
【請求項６】
前記第２取得手段は、前記第１映像信号、前記第２映像信号、前記第３映像信号、および前記第４映像信号のうち、少なくとも１つの映像信号に重畳された前記順番を示す情報に基づいて、前記順番を取得することを特徴とする請求項５に記載の表示装置。
【請求項７】
前記表示手段の表示レイアウトを制御する表示制御手段を備え、
前記表示制御手段が、前記表示手段を、第１表示信号と第２表示信号とからなる２つの画像をマルチ表示させる場合に、
前記出力手段は、前記第１表示信号として前記第１映像信号と前記第３映像信号とを交互に出力し、前記第２表示信号として前記第２映像信号と前記第４映像信号とを交互に出力することを特徴とする請求項１乃至請求項６のいずれか１項に記載の表示装置。
【請求項８】
入力された映像信号に基づいて画像を表示する表示手段と、第１フレームレートの原映像信号から生成された前記第１フレームレートよりも低い第２フレームレートの第１映像信号が入力される第１入力手段と、前記原映像信号から生成された前記第２フレームレートの第２映像信号が入力される第２入力手段と、前記原映像信号から生成された前記第２フレームレートの第３映像信号が入力される第３入力手段と、前記原映像信号から生成された前記第２フレームレートの第４映像信号が入力される第４入力手段と、を備える表示装置の制御方法であって、
前記第１フレームレートを取得する第１取得工程と、
前記第１映像信号、前記第２映像信号、前記第３映像信号、および前記第４映像信号のうち、少なくとも２以上の映像信号を、順に前記表示手段に出力する出力工程と、
を備え、
前記出力工程は、前記第１フレームレートが所定の値よりも高い場合に、前記所定の値に対応するフレームレート以下で、前記第１映像信号と前記第３映像信号とを交互に前記表示手段に出力し、前記第１フレームレートが前記所定の値以下である場合に、前記第１フレームレートで、前記第１映像信号、前記第２映像信号、前記第３映像信号、および前記第４映像信号の順で、前記表示手段に出力することを特徴とする表示装置の制御方法。
【請求項９】
前記第１取得工程は、前記第１映像信号、前記第２映像信号、前記第３映像信号、および前記第４映像信号のうち、少なくとも１つの映像信号に重畳された前記第１フレームレートを示す情報に基づいて、前記第１フレームレートを取得することを特徴とする請求項８に記載の表示装置の制御方法。
【請求項１０】
前記所定の値は、前記表示手段が動作可能な駆動周波数の上限値に対応する値であることを特徴とする請求項８または請求項９に記載の表示装置の制御方法。
【請求項１１】
前記第１映像信号、前記第２映像信号、前記第３映像信号、及び前記第４映像信号は、前記原映像信号を、前記第２フレームレートのそれぞれ異なる位相で間引くことによって得られた映像信号であることを特徴とする請求項８乃至請求項１０のいずれか１項に記載の表示装置の制御方法。
【請求項１２】
前記第１映像信号、前記第２映像信号、前記第３映像信号、及び前記第４映像信号の前記原映像信号における順番を示す情報を取得する第２取得工程を備え、
前記出力工程は、前記第１映像信号、前記第２映像信号、前記第３映像信号、および前記第４映像信号のうち、少なくとも２以上の映像信号を、前記順番に応じて、前記表示手段に出力することを特徴とする請求項１１に記載の表示装置の制御方法。
【請求項１３】
前記第２取得工程は、前記第１映像信号、前記第２映像信号、前記第３映像信号、および前記第４映像信号のうち、少なくとも１つの映像信号に重畳された前記順番を示す情報に基づいて、前記順番を取得することを特徴とする請求項１２に記載の表示装置の制御方法。
【請求項１４】
前記表示手段の表示レイアウトを制御する表示制御工程を備え、
前記表示制御工程が、前記表示手段を、第１表示信号と第２表示信号とからなる２つの画像をマルチ表示させる場合に、
前記出力工程は、前記第１表示信号として前記第１映像信号と前記第３映像信号とを交互に出力し、前記第２表示信号として前記第２映像信号と前記第４映像信号とを交互に出力することを特徴とする請求項１乃至請求項６のいずれか１項に記載の表示装置の制御方法。
【請求項１５】
請求項８乃至請求項１４のいずれか１項に記載の表示装置の制御方法を実現するためにプロセッサが実行することが可能なプログラム。
【請求項１６】
請求項１５に記載のプログラムを記憶するプロセッサが読出し可能な記憶媒体。
【発明の詳細な説明】
【技術分野】
【０００１】
本発明は、複数の入力端子から入力された複数の映像信号に基づいて画像を表示する表示装置及びその制御方法、プログラム、記憶媒体に関する。
【背景技術】
【０００２】
近年、画像が１２０Ｈｚなどの高フレームレートで連続する映像信号を出力することが可能な出力装置がある。
【０００３】
入力された映像信号の高フレームレートに対応する駆動周波数で、表示装置が駆動できない場合がある。特許文献１には、取得した映像データのフレーム周波数（フレームレート）が表示部の駆動周波数より高い場合、映像データのフレームレートを低減させるダウンコンバートを行うフレームレート処理回路が開示されている。
【０００４】
また、高フレームレートの映像信号を構成する連続する複数の画像を周期的に抽出して生成した複数の低フレームレートの映像信号を、複数の出力端子を用いて出力することがある。この場合、表示装置側で、複数の低フレームレートの映像信号を順次表示することにより、もとの高フレームレートの映像信号に基づく画像を表示する。
【先行技術文献】
【特許文献】
【０００５】
【特許文献１】特開２０１４−２３６２４１号公報
【発明の概要】
【発明が解決しようとする課題】
【０００６】
上述のフレームレート処理回路では、取得した複数の映像信号からもとの高フレームレートの映像信号を生成して、ダウンコンバートを実行する。具体的には、低フレームレートの複数の映像信号が入力された場合に、全ての映像信号を並び替えてもとの高フレームレートの映像信号を生成し、さらにその中のフレームを間引く必要がある。
【０００７】
この場合、表示部が表示可能な周波数（駆動周波数）以上の周波数で、映像信号の生成とダウンコンバートとを実行することが必要となる。したがって、回路規模やコストがかかるといった課題があった。
【０００８】
本発明に係る表示装置は、表示装置の駆動周波数よりも高いフレームレートの映像を、駆動周波数よりも低いフレームレートの映像信号に変換する負荷を低減することを目的とする。
【課題を解決するための手段】
【０００９】
本発明の表示装置は、入力された映像信号に基づいて画像を表示する表示手段と、第１フレームレートの原映像信号から生成された前記第１フレームレートよりも低い第２フレームレートの第１映像信号が入力される第１入力手段と、前記原映像信号から生成された前記第２フレームレートの第２映像信号が入力される第２入力手段と、前記原映像信号から生成された前記第２フレームレートの第３映像信号が入力される第３入力手段と、前記原映像信号から生成された前記第２フレームレートの第４映像信号が入力される第４入力手段と、前記第１フレームレートを取得する第１取得手段と、前記第１映像信号、前記第２映像信号、前記第３映像信号、および前記第４映像信号のうち、少なくとも２以上の映像信号を、順に前記表示手段に出力する出力手段と、を備え、前記出力手段は、前記第１フレームレートが所定の値よりも高い場合に、前記所定の値に対応するフレームレート以下で、前記第１映像信号と前記第３映像信号とを交互に前記表示手段に出力し、前記第１フレームレートが前記所定の値以下である場合に、前記第１フレームレートで、前記第１映像信号、前記第２映像信号、前記第３映像信号、および前記第４映像信号の順で、前記表示手段に出力することを特徴とする。
【発明の効果】
【００１０】
本発明の表示装置によれば、表示装置の駆動周波数よりも高いフレームレートの映像を、駆動周波数よりも低いフレームレートの映像信号に変換する負荷を低減することが可能となる。
【図面の簡単な説明】
【００１１】
【図１】映像出力装置、表示装置、およびケーブルで構成される表示システムの構成を示す装置構成図である。
【図２】映像出力装置、表示装置、およびケーブルの機能ブロックを示す機能ブロック図である。
【図３】ｆｐ１２０Ｈｚの場合の各映像信号のフレームと原映像信号のフレームとの関係を示す模式図である。
【図４】ｆｐ６０Ｈｚの場合の各映像信号のフレームと原映像信号のフレームとの関係を示す模式図である。
【図５】ｆｐ３０Ｈｚの場合の各映像信号のフレームと原映像信号のフレームとの関係を示す模式図である。
【図６】各映像信号のフレームと、表示信号のフレームとの関係を示した模式図である。
【図７】表示装置の表示処理を示すフローチャートである。
【図８】警告映像信号を表示した表示部の画面を示す模式図である。
【図９】表示信号生成処理を示すフローチャートである。
【図１０】２画面表示を行った場合の表示部の画面を示す模式図である。
【発明を実施するための形態】
【００１２】
（実施例１）
図１は、表示装置２００と、表示装置２００に映像信号を出力する映像出力装置１００と、映像出力装置１００と表示装置２００とを接続するケーブル３００で構成される表示システムの構成を示す装置構成図である。
【００１３】
映像出力装置１００は、原映像信号に基づいて、原映像信号のフレームレートよりも低いフレームレートの複数の映像信号を生成し、ケーブル３００を介して表示装置２００に出力する出力装置である。例えば、映像出力装置１００は、撮像装置であるとする。映像出力装置１００は、記憶媒体を備え、記憶媒体に保存された原映像信号を出力するレコーダー等の記録装置であってもよい。また、映像出力装置１００は、外部から入力された原映像信号に基づいて、複数の映像信号を出力する中継装置であってもよい。
【００１４】
表示装置２００は、入力された複数の映像信号に基づいて、画像を表示する表示装置である。例えば、表示装置２００は、液晶ディスプレイであるとする。なお、表示装置２００は、画面に画像を投影するプロジェクタであってもよい。
【００１５】
ケーブル３００は、映像出力装置１００と表示装置２００とを接続し、映像信号を伝送するためのインターフェースである。ケーブル３００は、映像出力装置１００の出力端子と表示装置２００の入力端子とに応じた伝送経路を有する。
【００１６】
図２は、映像出力装置１００と、表示装置２００と、ケーブル３００との機能ブロックを示す機能ブロック図である。
【００１７】
映像出力装置１００は、撮像部１０１、画像処理部１０２、制御部１０３、メモリ１０４、操作部１０５、および出力端子１０６ａ〜１０６ｄを備える。
【００１８】
撮像部１０１は、被写体を撮影して得られる原映像信号を出力する撮像手段である。撮像部１０１は、レンズを含む光学系、光学系を透過した光を検出する撮像センサ、光学系と撮像センサとを制御する撮像制御回路、および、撮像センサから出力された信号に基づいて原映像信号を出力する出力回路を備える。撮像部１０１は、従来のデジタルカメラ等の撮像装置が有するものと同様であるので、詳細な説明を省略する。
【００１９】
撮像部１０１は、制御部１０３から取得した原映像信号のフレームレート（ｆｐ）や解像度の設定情報に基づいて、撮像センサから出力した信号から原映像信号を画像処理部１０２に出力する。例えば、原映像信号は、１２０Ｈｚのプログレッシブのフレームレートで、水平有効画素数３８４０かつ垂直有効ライン数２１６０（３８４０×２１６０）の解像度の画像を送信する信号であるとする。
【００２０】
画像処理部１０２は、フレームレートｆｐの原映像信号から、フレームレートｆｐよりも低いフレームレートｆｓの映像信号を複数生成し、出力端子１０６ａ〜１０６ｄに出力する画像処理装置である。具体的には、画像処理部１０２は、フレームレートｆｓの映像信号Ａを出力端子１０６ａに出力し、フレームレートｆｓの映像信号Ｂを出力端子１０６ｂに出力する。さらに、画像処理部１０２は、フレームレートｆｓの映像信号Ｃを出力端子１０６ｃに出力し、フレームレートｆｓの映像信号Ｄを出力端子１０６ｄに出力する。
【００２１】
ここで、画像処理部１０２が生成する映像信号のフレームレートｆｓは、出力端子１０６ａ〜１０６ｄ、入力端子２０１ａ〜２０１ｄ、およびケーブル３００が伝送可能な帯域に応じて決定されるとする。例えば、出力端子１０６ａ〜１０６ｄ、入力端子２０１ａ〜２０１ｄ、およびケーブル３００がＳＤＩ規格に対応し、伝送可能な周波数が３０Ｈｚであるとする。したがって、画像処理部１０２は、ｆｓ＝３０Ｈｚの映像信号を出力するものであるとする。なお、画像処理部１０２が出力する映像信号のフレームレートｆｓは、ユーザの指示に応じて任意に設定することも可能である。例えば、映像信号Ａ〜Ｄは、３０Ｈｚのプログレッシブのフレームレートで、３８４０×２１６０の解像度の画像を送信する信号であるとする。なお、原映像信号、および映像信号Ａ〜Ｄのフレームレート、および解像度は、任意に設定することが可能である。
【００２２】
図３〜図５を用いて、画像処理部１０２が各出力端子に出力する映像信号のフレームと、原映像信号のフレームとの関係を説明する。図３〜図５において、横軸は、時間を示す。図３〜図５において、各映像信号の矩形は、フレームを示す。図３〜図５において、原映像信号のフレームから各映像信号のフレームに対して延びる矢印は、接続するフレームが対応するフレームであることを示す。
【００２３】
図３は、フレームレートｆｐが１２０Ｈｚの場合の各映像信号のフレームと、原映像信号のフレームとの関係を示す模式図である。画像処理部１０２は、１２０Ｈｚの原映像信号のフレームをフレームレートｆｓで間引いて、映像信号Ａから映像信号Ｄを生成する。言い換えると、画像処理部１０２は、原映像信号のフレームを、フレームレートｆｓの周波数の異なる位相で、抽出することで、映像信号Ａ〜Ｄを生成する。ここで、原映像信号のフレームの順番に対して、映像信号のフレームは、映像信号Ａ、映像信号Ｂ、映像信号Ｃ、映像信号Ｄの順番に対応する。
【００２４】
図４は、フレームレートｆｐが６０Ｈｚの場合の各映像信号のフレームと、原映像信号のフレームとの関係を示す模式図である。画像処理部１０２は、原映像信号のフレームを交互に映像信号ＡおよびＣと、映像信号ＢおよびＤとに振り分ける。したがって、映像信号Ａと映像信号Ｃとは実質的に同一の映像信号である。同様に、映像信号Ｂと映像信号Ｄとは実質的に同一の映像信号である。
【００２５】
図５は、フレームレートｆｐが３０Ｈｚの場合の各映像信号のフレームと、原映像信号のフレームとの関係を示す模式図である。画像処理部１０２は、原映像信号と同様の映像信号を、映像信号Ａ〜Ｄとして出力する。
【００２６】
また、画像処理部１０２は、生成した映像信号Ａ〜Ｄに、各映像信号から原映像信号を再生する場合の、順序を示すメタデータを重畳する。例えばフレームレートｆｐが１２０Ｈｚの原映像信号から映像信号Ａ〜Ｄを生成する場合、画像処理部１０２は、映像信号Ａのフレームが映像信号Ｄのフレームの後、かつ映像信号Ｂのフレームの前であることを示す情報を映像信号Ａに重畳する。画像処理部１０２は、同様の情報を、各映像信号に重畳する。
【００２７】
なお、画像処理部１０２は、各出力端子から映像信号を出力する場合に実映像データが入らないブランキング期間に、メタ情報として、各出力端子それぞれ個別に、出力する映像信号の順番を示す端子情報を付与するものであってもよい。
【００２８】
制御部１０３は、メモリ１０４に記憶されたプログラムを実行して、撮像部１０１および画像処理部１０２の制御を行う演算処理回路である。例えば、制御部１０３は、Ｃｅｎｔｒａｌ  Ｐｒｏｃｅｓｓｉｎｇ  Ｕｎｉｔ（ＣＰＵ）であるとする。制御部１０３は、ユーザが操作部１０５を介して入力したフレームレートの設定情報、またはメモリ１０４に記憶されたフレームレートの設定情報に応じて、撮像部１０１に原映像信号のフレームレートｆｐを設定する。また、制御部１０３は、原映像信号の解像度の設定情報、またはメモリ１０４に記憶された解像度の設定情報に応じて、撮像部１０１に原映像信号の解像度を設定してもよい。
【００２９】
メモリ１０４は、制御部１０３が各機能ブロックを制御するために用いるプログラムやパラメータを記憶する記憶媒体である。メモリ１０４は、ハードディスク等の不揮発性の記憶媒体や、半導体メモリ等の揮発性の記憶媒体である。
【００３０】
操作部１０５は、ユーザが原映像信号のフレームレートや解像度等の設定情報を入力するためのユーザーインターフェースである。
【００３１】
出力端子１０６ａ〜１０６ｄは、それぞれ画像処理部１０２から出力された映像信号を、外部に出力するための出力端子である。例えば、出力端子１０６ａ〜１０６ｄは、ＳＤＩ規格に準拠するコネクタであるとする。
【００３２】
表示装置２００は、入力端子２０１ａ〜２０１ｄ、映像信号取得部２０２、端子情報取得部２０３、フレームレート比較部２０４、表示信号出力部２０５、表示部２０６、制御部２０７、およびメモリ２０８を備える。
【００３３】
入力端子２０１ａ〜２０１ｄは、それぞれ映像出力装置１００からケーブル３００を介して入力された映像信号を、受信するための入力端子である。例えば、入力端子２０１ａ〜２０１ｄは、ＳＤＩ規格に準拠するコネクタであるとする。
【００３４】
映像信号取得部２０２は、複数の映像信号を受信可能なレシーバーである。映像信号取得部２０２は、映像信号Ａ〜Ｄを表示信号出力部２０５に出力する。また、映像信号取得部２０２は、各映像信号に重畳された、各映像信号から原映像信号を再生する場合の映像信号の順序を示す情報を分離し、端子情報取得部２０３に出力する。
【００３５】
さらに、映像信号取得部２０２は、取得した複数の映像信号から生成可能な原映像信号のフレームレートｆｐを取得し、フレームレート比較部２０４に出力する。例えば、映像信号取得部２０２は、映像信号Ａ〜Ｄに重畳された順序を示す情報と、各映像信号のフレームレートに基づいて、フレームレートｆｐを取得するとする。なお、画像処理部１０２がフレームレートｆｐを示す情報を各映像信号にメタデータとして重畳して出力した場合、映像信号取得部２０２は、フレームレートｆｐを示す情報を分離してフレームレート比較部２０４に出力することも可能である。
【００３６】
端子情報取得部２０３は、取得した各映像信号から原映像信号を再生する場合の映像信号の順序を示す情報に基づいて、各映像信号の原映像信号に対する順番を取得する。例えば、端子情報取得部２０３は、映像信号Ａのフレームが原映像信号において、映像信号Ｄのフレームの後、かつ映像信号Ｂのフレームの前に配置されることを示す情報を取得するとする。端子情報取得部２０３は、各映像信号に対して同様の情報を取得するとする。図３に示したｆｐ＝１２０Ｈｚの原映像信号から生成した映像信号Ａ〜Ｄの場合、端子情報取得部２０３は、映像信号Ａ〜Ｄが映像信号Ａ、映像信号Ｂ、映像信号Ｃ、映像信号Ｄの順であることを示す情報を取得し、表示信号出力部２０５に出力する。
【００３７】
フレームレート比較部２０４は、原映像信号のフレームレートｆｐが所定の値よりも高いか否かを判定する判定回路である。例えば、フレームレート比較部２０４は、表示部２０６の駆動周波数ｆａと、原映像信号のフレームレートｆｐとを比較して、原映像信号を表示部２０６が表示可能か否かを判定するとする。例えば、表示部２０６の駆動周波数ｆａは、６０Ｈｚであるとする。
【００３８】
フレームレート比較部２０４は、フレームレートｆｐが駆動周波数ｆａよりも大きい場合（フレームレートｆｐが所定の値より大きい場合）、原映像信号を表示部２０６で表示できないと判定する。また、フレームレート比較部２０４は、フレームレートｆｐが駆動周波数ｆａ以下である場合（フレームレートｆｐが所定の値以下である場合）、原映像信号を表示部２０６で表示可能であると判定する。フレームレート比較部２０４は、判定結果を表示信号出力部２０５に出力する。
【００３９】
表示信号出力部２０５は、フレームレート比較部２０４の判定結果に応じて、映像信号Ａ〜Ｄの少なくとも２以上の映像信号を、順に表示部２０６に出力する。表示部２０６に出力される映像信号を表示信号とする。原映像信号を表示部２０６で表示可能であると判定された場合、表示信号出力部２０５は、端子情報取得部２０３から取得した映像信号の順番で、映像信号Ａ〜Ｄの各フレームを順に出力する。
【００４０】
原映像信号を表示部２０６で表示できないと判定された場合、表示信号出力部２０５は、表示部２０６が表示可能な表示信号を表示部２０６に出力する。具体的には、表示信号出力部２０５は、原映像信号において実質的に等間隔離れたフレームが、駆動周波数ｆａに対応するフレームレート以下のフレームレートで順に表示部２０６に出力されるように、出力する映像信号を選択する。表示信号出力部２０５は、端子情報取得部２０３から取得した映像信号の順番に基づいて、映像信号Ａ〜Ｄのうち、出力する映像信号を選択する。例えば、フレームレートｆｐが１２０Ｈｚの原映像信号に基づく映像信号Ａ〜Ｄが入力され、駆動周波数ｆａが６０Ｈｚである場合、表示信号出力部２０５は、映像信号Ａと映像信号Ｃとを選択する。なお、この場合、表示信号出力部２０５は、映像信号Ｂと映像信号Ｄとを選択することも可能である。
【００４１】
図６は、入力された各映像信号のフレームと、表示信号のフレームとの関係を示した模式図である。図６は、フレームレートｆｐが駆動周波数ｆａよりも高い場合の表示信号を示す。例えば、原映像信号のフレームレートｆｐが１２０Ｈｚ．映像信号Ａ〜Ｄのフレームレートｆｓが３０Ｈｚ、駆動周波数ｆａが６０Ｈｚ、表示信号のフレームレートが６０Ｈｚであるとする。
【００４２】
表示信号出力部２０５は、映像信号Ａ〜Ｄのうち、端子情報取得部２０３から取得した映像信号の順番に基づき、映像信号Ａと映像信号Ｃとを選択し、各映像信号のフレームを交互に出力する。したがって、原映像信号において実質的に等間隔離れたフレームが、表示信号として順に出力される。
【００４３】
また、図４に示すようにフレームレートｆｐが６０Ｈｚの原映像信号から生成された映像信号Ａ〜Ｄが入力された場合、表示信号出力部２０５は、映像信号Ａもしくは映像信号Ｃのフレームと、映像信号Ｂもしくは映像信号Ｄのフレームとを交互に出力する。
【００４４】
また、図５に示すようにフレームレートｆｐが３０Ｈｚの原映像信号から生成された映像信号Ａ〜Ｄが入力された場合、表示信号出力部２０５は、映像信号Ａ〜Ｄのうち、いずれかの映像信号を表示信号として出力する。
【００４５】
表示部２０６は、表示信号出力部２０５から出力された映像信号に基づいて画面に画像を表示する。例えば、表示部２０６は、液晶パネルとバックライトとを備えた液晶ディスプレイであるとする。なお、表示部２０６は、スクリーンに画像を投影して表示するプロジェクタであってもよい。
【００４６】
表示部２０６は、予め設定された駆動周波数ｆａで、画像を切り替えて表示する。表示部２０６が液晶ディスプレイである場合、表示部２０６は駆動周波数ｆａで液晶パネルが有する液晶素子の透過率を制御して、画像を切り替える。駆動周波数ｆａの情報は、予めメモリ２０８に記憶されている。例えば、駆動周波数ｆａは、表示部２０６が動作可能な駆動周波数の上限値に対応する周波数であるとする。また、駆動周波数ｆａは、ユーザが任意に設定可能である。
【００４７】
制御部２０７は、メモリ２０８に記憶されたプログラムを実行して、表示装置２００の各機能ブロックの制御を行う演算処理回路である。例えば、制御部２０７は、ＣＰＵであるとする。制御部２０７は、表示部２０６が画像を表示する表示レイアウトを含む、表示部２０６の表示制御を行うことが可能である。
【００４８】
メモリ２０８は、制御部２０７が各機能ブロックを制御するために用いるプログラムやパラメータを記憶する記憶媒体である。メモリ２０８は、ハードディスク等の不揮発性の記憶媒体や、半導体メモリ等の揮発性の記憶媒体である。
【００４９】
例えば、映像信号取得部２０２、端子情報取得部２０３、フレームレート比較部２０４、および表示信号出力部２０５は、それぞれ異なる電子回路から構成されており、制御部２０７により動作が制御されるとする。なお、映像信号取得部２０２、端子情報取得部２０３、フレームレート比較部２０４、および表示信号出力部２０５のうち１以上の機能ブロックの機能は、制御部２０７がプログラムを実行することにより、実現することも可能である。
【００５０】
図７は、表示装置２００の表示処理を示すフローチャートである。映像出力装置１００が、ｆｐが１２０Ｈｚの原映像信号からｆｓが３０Ｈｚである映像信号Ａ〜Ｄ生成して表示装置２００に出力する場合について説明する。
【００５１】
表示処理は、各入力端子に映像信号が入力された場合、もしくは、ユーザが表示装置２００に画像を表示することを指示した場合に開始されるものとする。
【００５２】
ステップＳ１０１において、映像信号取得部２０２は、４つの入力端子にそれぞれ異なる映像信号Ａ〜Ｄが入力されているか否か、つまり、４端子入力であるか否かを判定する。例えば、映像信号取得部２０２は、映像信号Ａ〜Ｄの各フレームを比較して、４端子入力であるか否かを判定するとする。なお、映像信号取得部２０２は、各映像信号に重畳された原映像信号を再生する場合の映像信号の順序を示す情報に基づいて、４端子入力であるか否かを判定することも可能である。
【００５３】
また、映像信号取得部２０２は、４つの入力端子のうち、映像信号が入力されない入力端子が存在する場合、４端子入力でないと判定するとする。
【００５４】
なお、原映像信号のフレームレートｆｐが３０である場合は、映像信号Ａ〜Ｄは、すべてに同一の映像信号である。この場合、映像信号取得部２０２は、４つの入力端子に映像信号が入力され、かつ、ブランキング期間に挿入された撮影情報から、原映像信号のフレームレートｆｐが３０Ｈｚであると判断し、実質１端子入力であると判定する。この場合、Ｓ１０２に進む。
【００５５】
Ｓ１１０で、表示装置２００の各機能ブロックは、映像信号Ａ〜Ｄのうち表示部２０６に出力する映像信号を選択して、選択された映像信号を表示信号として表示部２０６に出力する表示信号生成処理を実行する。詳細な処理は後述する。処理は、Ｓ１０６に進む。
【００５６】
Ｓ１０２で、制御部２０７は、映像信号取得部２０２から各映像信号の情報を取得し、原映像信号を分割した映像信号のうち２以上の映像信号が入力されている（２端子入力）かを判定する。原映像信号を分割した映像信号のうち２以上の映像信号が入力されている場合はステップＳ１０３に進む。原映像信号を分割した映像信号のうち２以上の映像信号が入力されていない場合はステップＳ１０５に進む。
【００５７】
Ｓ１０３で、制御部２０７は、端子情報取得部２０３から入力された映像信号の原映像信号における順番を取得し、原映像信号において実質的に等間隔離れたフレームからなる複数の映像信号（映像信号グループ）が入力されているか否かを判定する。具体的には、制御部２０７は、映像信号Ａおよび映像信号Ｃからなる映像信号グループ、もしくは映像信号Ｂおよび映像信号Ｄからなる映像信号グループ、が入力されているか否かを判定する。原映像信号において実質的に等間隔離れたフレームからなる複数の映像信号が入力されていると判定された場合、処理はＳ１０４に進む。また、原映像信号において実質的に等間隔離れたフレームからなる複数の映像信号が入力されていないと判定された場合、処理はＳ１０５に進む。
【００５８】
Ｓ１０４で、表示信号出力部２０５は、映像信号グループの映像信号を順に出力する。例えば、映像信号Ａおよび映像信号Ｃが選択されている場合、表示信号出力部２０５は、映像信号Ａのフレームと映像信号Ｃのフレームとを交互に出力する。処理は、Ｓ１０６に進む。
【００５９】
Ｓ１０５で、制御部２０７は、全体映像のうち一部の映像しか表示しておらず適切なモニタリングができていない警告を表示するための画像からなる警告映像信号を表示部２０６に出力する。例えば、警告映像信号は、入力端子の映像を表示するＯＳＤ画像を、入力された映像信号のフレームを駆動周波数ｆｐで順に出力した映像信号に重畳した映像信号であるとする。
【００６０】
例えば、入力端子２０１ａ〜２０１ｄのうち、入力端子２０１ａおよび入力端子２０１ｂにのみ映像信号が入力されていないとする。映像信号Ａのフレームと映像信号Ｂのフレームとを交互に出力した場合、表示信号は、原映像信号のフレームのうち、間隔が一定でないフレームが順に並んでしまう。例えば、映像信号Ａのあるフレームが原映像信号のフレーム１とすると、表示信号は、原映像信号のフレーム１・２・５・６・９・１０・・・となる。この場合、表示信号のフレームの間隔が等間隔で無いため、表示の時間的な連続性が損なわれ（カクつき）、正しい映像を確認できない。
【００６１】
図８は、警告映像信号を表示した表示部２０６の画面を示す模式図である。図８において、画面には例えば映像信号Ａと映像信号Ｂとからなる表示信号に基づく画像が表示される。また、入力端子の配置と接続状況を示す警告表示が、画面の右上に表示されるように、表示信号に重畳される。また、画面の右下には、現在表示されている画像が、どの映像信号に基づく画像であるかを示す通知画像が表示される。
【００６２】
警告表示を行うことにより、ユーザに接続状態もしくは原映像信号の設定のミスを確認するように促し、撮影時の接続間違いや映像確認ミスを減らすことが可能となる。
【００６３】
Ｓ１０６で、表示部２０６は、表示信号出力部２０５から出力された表示信号に基づいて、画面に画像を表示する。
【００６４】
図９は、Ｓ１１０における表示信号生成処理を示すフローチャートである。
【００６５】
Ｓ１１１で、映像信号取得部２０２は、入力端子２０１ａ〜２０１ｄから入力された映像信号Ａ〜Ｄを取得する処理を実行する。また、映像信号取得部２０２は、映像信号Ａ〜Ｄに重畳されたメタデータを分離して、端子情報取得部２０３に出力する。処理は、Ｓ１１２に進む。
【００６６】
また、映像信号取得部２０２は、映像信号Ａ〜Ｄを用いて生成可能な原映像信号のフレームレートｆｐを取得する処理を実行する。映像信号取得部２０２は、フレームレートｆｐを、フレームレート比較部２０４に出力する。処理はＳ１１２に進む。
【００６７】
Ｓ１１２で、端子情報取得部２０３は、取得したメタ情報を解析して、各映像信号から原映像信号を再生する場合の映像信号の順序を示す情報を取得する処理を実行する。端子情報取得部２０３は、取得した情報に基づいて、各映像信号の原映像信号に対する順番を取得して、表示信号出力部２０５に出力する。処理は、Ｓ１１３に進む。
【００６８】
Ｓ１１３で、フレームレート比較部２０４は、映像信号取得部２０２からフレームレートｆｐを取得する処理を実行する。処理は、Ｓ１１４に進む。
【００６９】
Ｓ１１４で、フレームレート比較部２０４は、メモリ２０８から、表示部２０６の駆動周波数ｆａを取得する処理を実行する。処理は、Ｓ１１５に進む。
【００７０】
Ｓ１１５で、フレームレート比較部２０４は、フレームレートｆｐが駆動周波数ｆａよりも高いか否かを判定する。フレームレートｆｐが駆動周波数ｆａよりも高いと判定された場合、処理はＳ１１６に進む。フレームレートｆｐが駆動周波数ｆａ以下であると判定された場合、処理はＳ１１７に進む。
【００７１】
Ｓ１１６で、表示信号出力部２０５は、端子情報取得部２０３が取得した順番に基づいて、原映像信号において実質的に等間隔離れたフレームが、表示部２０６に出力されるように、出力する映像信号を選択する処理を実行する。例えば、映像信号Ａと映像信号Ｃとを選択する。処理は、Ｓ１１８に進む。
【００７２】
Ｓ１１７で、表示信号出力部２０５は、全ての映像信号を表示部２０６に出力する映像信号として選択する処理を実行する。処理は、Ｓ１１８に進む。
【００７３】
Ｓ１１８で、表示信号出力部２０５は、選択された映像信号を、端子情報取得部２０３が取得した順番で切り替えて、表示部２０６に出力する処理を実行する。以上の処理で、４端子入力と判断された場合に実行される表示画像生成処理が終了する。
【００７４】
上述の処理を実行することにより、表示装置２００が表示可能なフレームレートよりも高い原映像信号に基づく複数の映像信号が入力された場合に、原映像信号を生成することなく、表示可能な映像信号を生成して表示することが可能となる。また、映像信号の順番を示す情報に基づいて、最適な映像信号を選択することにより、表示される画像に対してユーザが違和感を抱くことを抑制することが可能となる。
【００７５】
なお、本実施例において、出力端子１０６ａ〜１０６ｄ、ケーブル３００、入力端子２０１ａ〜２０１ｄは、ＳＤＩ規格に準拠するインターフェースであるとしたが、これに限定されない。ＨＤＭＩ（登録商標）やＤｉｓｐｌａｙ  Ｐｏｒｔ（ＤＰ）等の規格に準拠するインターフェースを用いることも可能である。
【００７６】
また、表示部２０６が表示できない高いフレームレートの原映像信号に基づいて入力された複数の映像信号に基づいて画像を表示する場合に、２画面表示を行うことも可能である。例えば、制御部２０７が、表示信号出力部２０５および表示部２０６に、２画面表示で画像を表示するようにレイアウトを制御するとする。
【００７７】
この場合、表示信号出力部２０５は、端子情報取得部２０３が取得した各映像信号の順番に基づいて、原映像信号において実質的に等間隔離れたフレームから構成される映像信号の組み合わせを取得する。例えば、図４に示す原映像信号に基づく映像信号Ａ〜Ｄが入力された場合、表示信号出力部２０５は、映像信号Ａと映像信号Ｃとの組み合わせ、および映像信号Ｂと映像信号Ｄとの組み合わせを取得する。
【００７８】
表示信号出力部２０５は、映像信号の組み合わせごとに、表示信号として表示部２０６に出力する。例えば、表示信号出力部２０５は、映像信号Ａのフレームと映像信号Ｃのフレームとを交互に出力して、表示信号ａとする。また、表示信号出力部２０５は、映像信号Ｂのフレームと映像信号Ｄのフレームとを交互に出力して、表示信号ｂとする。
【００７９】
表示部２０６は、表示信号ａに基づく画像と表示信号ｂに基づく画像とをそれぞれ異なる表示領域に表示する。表示部２０６は、表示信号ａと表示信号ｂとのタイミングを合わせて、駆動周波数ｆａで表示を更新する。図１０は、２画面表示を行った場合の表示部２０６の画面を示す模式図である。例えば、表示部２０６は、画面の右側に、表示信号ａ（映像信号ＡおよびＣ）に基づく画像を表示する。また、表示部２０６は、画面の左側に、表示信号ｂ（映像信号ＢおよびＤ）に基づく画像を表示する。
【００８０】
上述のように、高フレームレートの原映像信号から生成された複数の低フレームレートの映像信号から、表示装置が表示可能な複数の表示信号を生成して、マルチ表示を行う。これにより、複数の映像信号をユーザが確認することが可能となる。
【００８１】
なお、表示装置２００は、原映像信号のフレームレートｆｐが表示装置２００の駆動周波数ｆａよりも大きい場合に、１画面表示を行うか、２画面表示を行うかをユーザの指示に応じて切り替える操作部を有していてもよい。
【００８２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。なお、コンピュータは、ＣＰＵやＭＰＵ等を含む。また、１以上の機能を実現する回路（例えば、ＡＳＩＣ）によっても実現可能である。上述の実施形態の１以上の機能を実現するためのコンピュータプログラム自体も本発明の一つである。
【符号の説明】
【００８３】
１００  映像出力装置
２００  表示装置
２０１ａ〜２０１ｄ  入力端子
２０２  映像信号取得部
２０３  端子情報取得部
２０４  フレームレート比較部
２０５  表示信号出力部
２０６  表示部
２０７  制御部
２０８  メモリ
３００  ケーブル
【図１】
2018093305.tif 000003
【図２】
2018093305.tif 000004
【図３】
2018093305.tif 000005
【図４】
2018093305.tif 000006
【図５】
2018093305.tif 000007
【図６】
2018093305.tif 000008
【図７】
2018093305.tif 000009
【図８】
2018093305.tif 000010
【図９】
2018093305.tif 000011
【図１０】
2018093305.tif 000012
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
原映像信号の第１フレームレートより低い第２フレームレートである前記原映像信号から生成された複数の映像信号が入力される複数の入力手段と、
前記映像信号に付加された情報に基づいて各映像信号の前記原映像信号における順番を取得する取得手段と、
前記順番に基づいて、前記複数の入力手段のうち前記複数の入力手段の数よりも少ない対象入力手段を選択する選択手段と、
前記対象入力手段に入力された映像信号に基づいて、画像を表示する表示手段と、
を備えることを特徴とする表示装置。
【請求項２】
前記表示手段は、前記対象入力手段でない入力手段に入力された映像信号を用いずに画像を表示することを特徴とする請求項１に記載の表示装置。
【請求項３】
前記取得手段は、前記複数の映像信号のうち少なくとも１つの映像信号に付加された情報に基づいて前記第１フレームレートを取得し、
前記選択手段は、前記第１フレームレートが所定のフレームレートより高い場合に、前記順番に基づいて、前記複数の入力手段のうち、前記対象入力手段を選択することを特徴とする請求項１または請求項２に記載の表示装置。
【請求項４】
前記選択手段は、前記第１フレームレートが前記所定のフレームレートより高い場合に、前記順番に基づいて、前記原映像信号において実質的に等間隔離れたフレームに基づいて前記画像が表示されるように、前記対象入力手段を選択することを特徴とする請求項３に記載の表示装置。
【請求項５】
前記第１フレームレートが前記所定のフレームレート以下である場合に、前記表示手段は、前記複数の映像信号をすべて用いて生成した前記原映像信号に基づいて画像を表示することを特徴とする請求項３に記載の表示装置。
【請求項６】
前記所定のフレームレートは、前記表示手段が前記画像を表示するフレームレートおよび前記表示手段が動作可能な駆動周波数の上限値に対応するフレームレートの少なくとも一方であることを特徴とする請求項３および請求項５のいずれか１項に記載の表示装置。
【請求項７】
前記複数の映像信号は、前記原映像信号を、前記第２フレームレートのそれぞれ異なる位相で間引くことによって得られた映像信号であることを特徴とする請求項１乃至請求項６のいずれか１項に記載の表示装置。
【請求項８】
前記表示手段の表示レイアウトを制御する表示制御手段を備え、
前記表示制御手段が、前記表示手段を、第１表示信号と第２表示信号とからなる２つの画像をマルチ表示させる場合に、
前記出力手段は、前記第１表示信号として前記第１映像信号と前記第３映像信号とを交互に出力し、前記第２表示信号として前記第２映像信号と前記第４映像信号とを交互に出力することを特徴とする請求項１乃至請求項７のいずれか１項に記載の表示装置。
【請求項９】
前記原映像信号の解像度は、４Ｋ解像度以上の解像度であることを特徴とする請求項１乃至請求項８のいずれか１項に記載の表示装置。
【請求項１０】
前記原映像信号の前記第１フレームレートは、１２０Ｈｚ以上であることを特徴とする請求項１乃至請求項９のいずれか１項に記載の表示装置。
【請求項１１】
前記表示手段は、前記対象入力手段を示す情報を示すＧＵＩを表示することを特徴とする請求項１乃至請求項１０のいずれか１項に記載の表示装置。
【請求項１２】
前記表示手段の表示レイアウトを制御する表示制御手段を備え、
前記表示制御手段は、前記対象入力手段に入力された映像信号に基づいて生成された前記第１表示信号に基づく画像と、前記複数の入力手段のうち、前記対象入力手段でない他の入力手段に入力された映像信号に基づいて生成された前記第２表示信号とに基づく画像とをマルチ表示させることを特徴とする請求項１乃至請求項１１のいずれか１項に記載の表示装置。
【請求項１３】
入力された映像信号に基づいて画像を表示する表示手段と、
第１フレームレートの原映像信号から生成された前記第１フレームレートよりも低い第２フレームレートの第１映像信号が入力される第１入力手段と、
前記原映像信号から生成された前記第２フレームレートの第２映像信号が入力される第２入力手段と、
前記原映像信号から生成された前記第２フレームレートの第３映像信号が入力される第３入力手段と、
前記原映像信号から生成された前記第２フレームレートの第４映像信号が入力される第４入力手段と、
前記第１フレームレートを取得する第１取得手段と、
前記第１映像信号、前記第２映像信号、前記第３映像信号、および前記第４映像信号のうち、少なくとも２以上の映像信号を、順に前記表示手段に出力する出力手段と、
を備え、
前記出力手段は、前記第１フレームレートが所定のフレームレートよりも高い場合に、前記所定のフレームレート以下で、前記第１映像信号と前記第３映像信号とを交互に前記表示手段に出力し、
前記第１フレームレートが前記所定のフレームレート以下である場合に、前記第１フレームレートで、前記第１映像信号、前記第２映像信号、前記第３映像信号、および前記第４映像信号の順で、前記表示手段に出力することを特徴とする表示装置。
【請求項１４】
原映像信号の第１フレームレートより低い第２フレームレートである、前記原映像信号から生成された複数の映像信号が入力される複数の入力手段を備える表示装置の制御方法であって以下を含む
前記映像信号に付加された情報に基づいて各映像信号の前記原映像信号における順番を取得する取得工程と、
前記順番に基づいて、前記複数の入力手段のうち前記複数の入力手段の数よりも少ない対象入力手段を選択する選択工程と、
前記対象入力手段に入力された映像信号に基づいて、画像を表示する表示工程と、
を備える表示装置の制御方法。
【請求項１５】
前記表示工程は、前記対象入力手段でない入力手段に入力された映像信号を用いずに画像を表示することを特徴とする請求項１４に記載の表示装置の制御方法。
【請求項１６】
前記取得工程は、前記複数の映像信号のうち少なくとも１つの映像信号に付加された情報に基づいて前記第１フレームレートを取得し、
前記選択工程は、前記第１フレームレートが前記所定のフレームレートより高い場合に、前記順番に基づいて、前記複数の入力手段のうち、前記対象入力手段を選択することを特徴とする請求項１４または請求項１５に記載の表示装置の制御方法。
【請求項１７】
前記選択工程は、前記第１フレームレートが前記所定のフレームレートより高い場合に、前記順番に基づいて、前記原映像信号において実質的に等間隔離れたフレームに基づいて前記画像が表示されるように、前記対象入力手段を選択することを特徴とする請求項１６に記載の表示装置の制御方法。
【請求項１８】
入力された映像信号に基づいて画像を表示する表示手段と、第１フレームレートの原映像信号から生成された前記第１フレームレートよりも低い第２フレームレートの第１映像信号が入力される第１入力手段と、前記原映像信号から生成された前記第２フレームレートの第２映像信号が入力される第２入力手段と、前記原映像信号から生成された前記第２フレームレートの第３映像信号が入力される第３入力手段と、前記原映像信号から生成された前記第２フレームレートの第４映像信号が入力される第４入力手段と、を備える表示装置の制御方法であって、
前記第１フレームレートを取得する第１取得工程と、
前記第１映像信号、前記第２映像信号、前記第３映像信号、および前記第４映像信号のうち、少なくとも２以上の映像信号を、順に前記表示手段に出力する出力工程と、
を備え、
前記出力工程は、前記第１フレームレートが所定の値よりも高い場合に、前記所定の値に対応するフレームレート以下で、前記第１映像信号と前記第３映像信号とを交互に前記表示手段に出力し、前記第１フレームレートが前記所定の値以下である場合に、前記第１フレームレートで、前記第１映像信号、前記第２映像信号、前記第３映像信号、および前記第４映像信号の順で、前記表示手段に出力することを特徴とする表示装置の制御方法。
【請求項１９】
請求項１４乃至請求項１８のいずれか１項に記載の表示装置の制御方法を実現するためにプロセッサが実行することが可能なプログラム。
【請求項２０】
請求項１９に記載のプログラムを記憶するプロセッサが読出し可能な記憶媒体。
【手続補正２】
【補正対象書類名】明細書
【補正対象項目名】０００９
【補正方法】変更
【補正の内容】
【０００９】
本発明の第一の様態は、原映像信号の第１フレームレートより低い第２フレームレートである前記原映像信号から生成された複数の映像信号が入力される複数の入力手段と、前記映像信号に付加された情報に基づいて各映像信号の前記原映像信号における順番を取得する取得手段と、前記順番に基づいて、前記複数の入力手段のうち前記複数の入力手段の数よりも少ない対象入力手段を選択する選択手段と、前記対象入力手段に入力された映像信号に基づいて、画像を表示する表示手段と、を備えることを特徴とする表示装置である。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
原映像信号の第１フレームレートより低い第２フレームレートである前記原映像信号から生成された複数の映像信号が入力される複数の入力手段と、
前記映像信号に付加された情報に基づいて各映像信号の前記原映像信号における順番を取得する取得手段と、
前記順番に基づいて、前記複数の入力手段のうち前記複数の入力手段の数よりも少ない対象入力手段を選択する選択手段と、
前記対象入力手段に入力された映像信号に基づいて、画像を表示する表示手段と、
前記表示手段の表示レイアウトを制御する制御する制御手段と、
を備え、
前記制御手段は、前記対象入力手段に入力された映像信号に基づいて生成された第１表示信号に基づく画像と、前記複数の入力手段のうち、前記対象入力手段でない他の入力手段に入力された映像信号に基づいて生成された第２表示信号とに基づく画像とをマルチ表示させることを特徴とする表示装置。
【請求項２】
前記取得手段は、前記複数の映像信号のうち少なくとも１つの映像信号に付加された情報に基づいて前記第１フレームレートを取得し、
前記選択手段は、前記第１フレームレートが所定のフレームレートより高い場合に、前記順番に基づいて、前記複数の入力手段のうち、前記対象入力手段を選択することを特徴とする請求項１に記載の表示装置。
【請求項３】
前記選択手段は、前記第１フレームレートが前記所定のフレームレートより高い場合に、前記順番に基づいて、前記原映像信号において実質的に等間隔離れたフレームに基づいて前記画像が表示されるように、前記対象入力手段を選択することを特徴とする請求項２に記載の表示装置。
【請求項４】
前記所定のフレームレートは、前記表示手段が前記画像を表示するフレームレートおよび前記表示手段が動作可能な駆動周波数の上限値に対応するフレームレートの少なくとも一方であることを特徴とする請求項２または３に記載の表示装置。
【請求項５】
前記複数の映像信号は、前記原映像信号を、前記第２フレームレートのそれぞれ異なる位相で間引くことによって得られた映像信号であることを特徴とする請求項１乃至請求項４のいずれか１項に記載の表示装置。
【請求項６】
前記原映像信号の解像度は、４Ｋ解像度以上の解像度であることを特徴とする請求項１乃至請求項５のいずれか１項に記載の表示装置。
【請求項７】
前記原映像信号の前記第１フレームレートは、１２０Ｈｚ以上であることを特徴とする請求項１乃至請求項６のいずれか１項に記載の表示装置。
【請求項８】
原映像信号の第１フレームレートより低い第２フレームレートである、前記原映像信号から生成された複数の映像信号が入力される複数の入力手段を備える表示装置の制御方法であって以下を含む
前記映像信号に付加された情報に基づいて各映像信号の前記原映像信号における順番を取得する取得工程と、
前記順番に基づいて、前記複数の入力手段のうち前記複数の入力手段の数よりも少ない対象入力手段を選択する選択工程と、
前記対象入力手段に入力された映像信号に基づいて、画像を表示する表示工程と、
前記表示装置の表示レイアウトを制御する制御工程と、
を備え、
前記表示工程は、前記制御工程で前記表示装置の表示レイアウトが２画面表示に制御される場合、前記対象入力手段に入力された映像信号に基づいて生成された前記第１表示信号に基づく画像と、前記複数の入力手段のうち、前記対象入力手段でない他の入力手段に入力された映像信号に基づいて生成された前記第２表示信号とに基づく画像とをマルチ表示させる表示装置の制御方法。
【請求項９】
前記取得工程は、前記複数の映像信号のうち少なくとも１つの映像信号に付加された情報に基づいて前記第１フレームレートを取得し、
前記選択工程は、前記第１フレームレートが所定のフレームレートより高い場合に、前記順番に基づいて、前記複数の入力手段のうち、前記対象入力手段を選択することを特徴とする請求項８に記載の表示装置の制御方法。
【請求項１０】
前記選択工程は、前記第１フレームレートが前記所定のフレームレートより高い場合に、前記順番に基づいて、前記原映像信号において実質的に等間隔離れたフレームに基づいて前記画像が表示されるように、前記対象入力手段を選択することを特徴とする請求項８または９に記載の表示装置の制御方法。
【請求項１１】
請求項８乃至請求項１０のいずれか１項に記載の表示装置の制御方法を実現するためにプロセッサが実行することが可能なプログラム。
【請求項１２】
請求項１１に記載のプログラムを記憶するプロセッサが読出し可能な記憶媒体。
【手続補正２】
【補正対象書類名】明細書
【補正対象項目名】０００９
【補正方法】変更
【補正の内容】
【０００９】
本発明の第一の様態は、原映像信号の第１フレームレートより低い第２フレームレートである前記原映像信号から生成された複数の映像信号が入力される複数の入力手段と、前記映像信号に付加された情報に基づいて各映像信号の前記原映像信号における順番を取得する取得手段と、前記順番に基づいて、前記複数の入力手段のうち前記複数の入力手段の数よりも少ない対象入力手段を選択する選択手段と、前記対象入力手段に入力された映像信号に基づいて、画像を表示する表示手段と、前記表示手段の表示レイアウトを制御する制御する制御手段と、を備え、前記制御手段は、前記対象入力手段に入力された映像信号に基づいて生成された前記第１表示信号に基づく画像と、前記複数の入力手段のうち、前記対象入力手段でない他の入力手段に入力された映像信号に基づいて生成された前記第２表示信号とに基づく画像とをマルチ表示させることを特徴とする表示装置である。